(57)【要約】      （修正有）【課題】複数の果実を搭載したトレイの包装作業に従来のような労力を必要とせず、作業者への負担を大きく低減できる果実搭載トレイ包装用冶具を提供する。【解決手段】複数個の果実を搭載したトレイの全体を透明包装材６に包装するための冶具１は、トレイを載せる上板１１と、作業台上面４に設置するための底板１２と、上板と底板とを固定する固定部材を有し、上板の片側の端部と底板の同じ側の端部とが、固定部材により所定の間隔をあけて固定され、上板と底板が所定の間隔をあけて相対するように配置され、固定部側以外の上板と底板の間は開放状態にされている。【選択図】図２
0003219011.tif 000002
【実用新案登録請求の範囲】
【請求項１】
複数個の果実を搭載したトレイ全体を透明包装材で包装する際に用いる冶具であって、前記冶具は、前記トレイを載せる上板と、作業台上に設置するための底板と、前記上板と前記底板とを固定する固定部材とを有し、前記上板の片側の端部と前記底板の同じ側の端部とが前記固定部材により所定の間隔をあけて固定され、前記上板と前記底板が前記所定の間隔をあけて相対するように配置され、前記固定部材側以外の前記上板と前記底板の間は開放状態にされている、果実搭載トレイ包装用冶具。
【請求項２】
前記固定部材が支柱または側板とを含み、前記上板と前記底板がねじまたはボルト・ナットにより前記支柱または前記側板に固定される、請求項１に記載の果実搭載トレイ包装用冶具。
【請求項３】
前記上板と前記底板と前記固定部材の内、少なくとも前記上板は金属製である、請求項１または２に記載の果実搭載トレイ包装用冶具。
【請求項４】
前記上板と前記底板と前記固定部材が、金属板のプレス加工により一体化されて作製されている、請求項１に記載の果実搭載トレイ包装用冶具。
【請求項５】
少なくとも前記底板と前記固定部材に相当する部分が金属パイプのフレームにより形成され、前記上板が前記フレームの上部に接合された、請求項１に記載の果実搭載トレイ包装用冶具。
【請求項６】
前記上板が略長方形である、請求項１〜５のいずれか一項に記載の果実搭載トレイ包装用冶具。
【請求項７】
前記上板と前記底板が平行に配置された、請求項１〜６のいずれか一項に記載の果実搭載トレイ包装用冶具。
【請求項８】
前記上板の上面に滑り止め加工がされている、請求項１〜７のいずれか一項に記載の果実搭載トレイ包装用冶具。
【請求項９】
前記底板の下面に滑り止め加工がされている、請求項１〜８のいずれか一項に記載の果実搭載トレイ包装用冶具。
【考案の詳細な説明】
【技術分野】
【０００１】
本考案は、青果物、特にりんご、なし、オレンジ等の果実の複数個をトレイに搭載したまま全体を包装する際に用いる冶具の構造に関する。
【背景技術】
【０００２】
りんご、なし、オレンジ等の果実を運搬、貯蔵するためには、所定の個数用のトレイに複数個の果実を搭載したまま全体を包装することが必要となる。従来は、所定の個数が搭載可能なパルプモールドトレイにこれらの果実を載せた後、この複数個の果実を搭載したトレイを腕で空中に一時的に支えながら、少なくとも１辺に開口を有する長方形の透明フィルム製の袋を、この複数個の果実を搭載したトレイ全体を覆うように横方向から被せ、最後に袋の開口を融着して包装を完成する、という手順によって行われてきた。
【０００３】
しかしながら、例えばりんごの典型的な１個の重さは小型で２００ｇ、中型で３００ｇ程度あり、従って１０個入のトレイに搭載すれば全体で約２〜３ｋｇという重量になるため、この包装作業では、腕でトレイ全体を空中に支えながら袋を横方向から被せるという困難な動作と、この約２〜３ｋｇという重量を片手で一定時間空中で支える動作を行う必要があった。さらに、リンゴを納めるパルプモールド、発泡成形体等は一般に強度がなく、底面全体を支えなければ袋に入れることができなかった。従ってこの包装作業には労力を必要とし、これを繰り返し行うことは作業者に大きな負担となっていた。
【先行技術文献】
【特許文献】
【０００４】
【特許文献１】特許第４３９３６１８号公報
【考案の概要】
【考案が解決しようとする課題】
【０００５】
本考案の目的は、上記青果物、特に果実の包装に従来のような労力を必要とせず、作業者の負担を大きく低減できる冶具を提供することである。
【課題を解決するための手段】
【０００６】
本考案による冶具を用いることによって、単数または複数の果実が搭載されたパルプモールドトレイ（以下、果実搭載トレイと略す場合がある）を両手で冶具の上部に載置すると、トレイ全体が作業台から隙間を保って保持されるため、横方向から開放辺を有する透明包装体を挿入して果実搭載トレイ全体に被せることが容易にできるようになる。そして、透明包装体で覆われた果実搭載トレイを冶具から引き抜いた後、開放辺を融着することにより果実搭載トレイのの包装を容易に完了させることが可能になる。
【０００７】
本考案の関連文献として、特許文献１には野菜を袋に入れるためのガイドを備えた袋詰め装置が開示されているが、このガイドは袋詰め装置の可動部分に装着され、これと連動する構成であり、本考案のような独立した冶具ではない。また軽量な野菜の包装を効率良く行うことを目的としており、重量のある複数の果実が搭載されたトレイの包装を目的とする本考案とは異なっている。
【考案の効果】
【０００８】
本考案による冶具の使用により、果実搭載トレイを包装する作業の労力を従来よりも大きく低減することが可能となる。
【図面の簡単な説明】
【０００９】
【図１】図１は、果実搭載トレイを本考案による冶具の上に載置した時の概略斜視図である。
【図２】図２は、果実搭載トレイと本考案による冶具の上板全体に被せるように透明包装体を挿入している時の概略斜視図である。
【図３】図３は、果実搭載トレイとそれを覆った透明包装体を本考案による冶具から引き抜いた時の概略斜視図である。
【図４】図４は、透明包装体の開放辺を全て融着して包装が完了した時の概略斜視図である。
【図５】図５は、本考案の第２の実施例による冶具の概略斜視図である。
【図６】図６は、第２の実施例による冶具の板材料の、プレス加工による補強の例を示す概略図である。
【図７】図７は、本考案の第３の実施例による冶具の概略斜視図である。
【考案を実施するための形態】
【００１０】
本考案の実施形態について、図面を参照しながら以下詳細に説明する。
【実施例１】
【００１１】
図１は、本考案の冶具１の上に、１０個の果実（例えばりんご）２を搭載したパルプモールドトレイ３を置いた状態の概略図を示したものである。冶具１は、パルプモールドトレイ３を上に載せるための上板１１と、冶具を作業台の上面４に安定に設置するための底板１２、及び上板１１と底面１２を連結するための複数の支柱１５とそれらを固定するねじ（またはボルト・ナット）１６とから構成されている。ねじ１６の代わりに、嵌合で支柱１５と上板１１または底面１２間を固定してもよい。支柱１５は上板１１と底面１２の左端部のみに配置されている。上板１１と底板１２の間には隙間が形成され、左端部の固定部以外の上板１１と底板１２の間は開放状態となっている。
【００１２】
図２は、透明包装材６を複数の果実２を搭載したパルプモールドトレイ３（以下、果実搭載トレイと略す場合がある）と上板１１の全体に被せる途中の状態を示す概略図である。透明包装材６は、２枚の略長方形の透明フィルムが積層され少なくとも１辺が接合されたものであり、被せやすいように１〜３辺は未接合の状態としている（図２の例では２辺）。フィルムの材質は、最終的に未接合の辺の端部を熱融着して封止するため、一般的に熱可塑性樹脂が用いられる。未接合の辺の端部は、テープ留めや接着剤により接合してもよい。熱可塑性樹脂として、プロピレン、エチレン、ブテン等のαオレフィンが単独または共重合したポリオレフィン、ポリエチレンテレフタレートやポリ乳酸等のポリエステル、ナイロンー６等を挙げることができる。ポリプロピレン系樹脂、ポリエチレン系樹脂が好ましく、特に重量物を支えるためポリエチレン系樹脂が好ましい。また果物の保存期間を延ばすために、酸素、二酸化炭素、エチレン等のガスや水蒸気量を調整し、果物の呼吸状態を制御する微細な複数の穴を設けたフィルムを用いてもよい。さらに、抗菌作用や防曇作用を目的としてアルキル（ジ）エタノールアミン、グリセリンエステルまたはジグリセリンエステル（モノ・ジ・トリ体を含む）等を塗布または練り込みによりフィルムに配合してもよい。さらに、フィルムは意匠性のために着色してもよく、絵柄や商品名等を印刷してもよい。
【００１３】
透明包装材６を果実搭載トレイと上板１１の全体に被せた後、果実搭載トレイと透明包装材６とを同時に保持し、上板１１を残して右側に移動させて冶具から完全に引き抜き、作業台の別の位置に移す（図３）。最後に、透明包装材６の未接合の辺を全て融着して果実トレイの梱包が完了する（図４）。
【００１４】
以上説明したように、本考案の冶具を用いる包装方法は以下のステップを含む。
上板と底板が隙間をあけてそれぞれの片側で固定されて相対するように配置された冶具の前記底面を作業台の上に設置するステップと、
前記上板の上に複数個の果実を搭載したトレイを載置するステップと、
前記複数個の果実を搭載したトレイと前記上板の全体に、少なくとも一辺が接合された２枚の透明フィルムの積層からなる包装材を、該包装材の未接合の辺の側から挿入することにより前記包装材で覆うステップと、
前記包装材を覆った前記複数個の果実を搭載したトレイを、横方向に移動させて前記冶具の前記上板から完全に引き抜くステップと、
前記包装材の前記未接合の辺を融着するステップ。
【００１５】
冶具の上板１１及び支柱１５は、果実搭載トレイを支えられれば良く、材質は特に限定されないが、トレイの重量により撓まない程度の材料強度を有することが望ましい。また、支柱１５で連結された底面１２も材質は特に限定されないが、支柱１５により力のモーメントが働くため、これにより変形しない程度の材料強度、及び安定して設置できるだけの重量と接地面積を有することが望ましい。従って、上板１１と底面１２及び支柱１５、特に上板１１の材料はＳＵＳやアルミのような金属が望ましい。図１の例では支柱１５には円柱状の部材を用いているが、上板１１と底面１２の隙間の幅と、上板１１と底面１２を平行に保てるだけの十分な厚さを有した側版１３を用い、これに上板１１と底面１２をねじで固定してもよい。しかしこれに限らず、上板１１と底面１２の片側を隙間をあけて固定できれば他の構成を用いてもよい。
【００１６】
また、上板１１と底板１２との間隔は、最低透明包装材が通る程度の間隔があればよいが、作業性を考慮した上で任意の間隔とすることができる。さらには、上板１１と底板１２は必ずしも平行である必要はなく、作業性を考慮して開放側の間隔を固定側よりも大きくしても、あるいは小さくしてもよい。なお、上板１１の大きさは果実搭載トレイを安定に載置できる大きさである必要があるが、底板１２は上板１１と必ずしも同じ形状、大きさである必要はなく、果実搭載トレイと上板１１を包装作業中に安定に支持できれば他の形状、大きさであってもよい。前記上板１１の厚みは、果実搭載トレイを支えられれば良く特に限定されないが、あまり厚過ぎると、冶具から引き抜いた後、包装体内で果実搭載トレイと透明包装材６の間に余分な隙間やたるみが生じることがある。このため、実施例１〜３の各形態において上板１１の厚みは１〜１０ｍｍが好ましく、１〜５ｍｍがさらに好ましい。
【実施例２】
【００１７】
上記実施例１では、冶具が上板１１と底板１２と両者を固定連結するための支柱１５、あるいは側板１３のような個別の部材により構成される例を説明したが、図５に示すように、上板１１、側面１３、底板１２を、金属板のプレス加工等によりコの字型に一体形成した構造でもよい。この場合、これらの上板１１、側面１３、底板１２は、それらの強度を上げるため、図６の（Ａ）に示すように板の断面を波状（山と谷は透明包装材６の挿入方向に平行）にする、あるいは（Ｂ）のように方形、円形等の形状の多数の凹部をプレス加工により形成した擬似３次元構造にすることにより補強してもよい。あるいはリブ状の補強材を別途形成して上板１１の下面に接合して補強してもよい。
【実施例３】
【００１８】
本考案のまた別の実施例の冶具の概略図を図７に示す。冶具の全体の骨格、または側面１３、底板１２に相当する部分を、果実搭載トレイと上板１１を支えるのに十分な強度を有する金属製パイプにより一続きのフレーム１７として形成し、上板１１をフレーム１７の上部に接合することにより冶具が構成されている。この構造の冶具は、構造が簡単で軽量であるという利点がある。
【００１９】
実施例１〜３の各形態において、上板１１の上面には滑り止め加工がされていることが好ましい。滑り止め加工としては、ゴムマットやエラストマー、ウレタン等の滑りにくい素材による加工、または凹凸加工、シボ加工、吸盤などが挙げられ、これらを組み合わせてもよい。上板１１の上面を滑り止め処理することにより、果実搭載トレイの落下や位置ずれを防止することができる。
【００２０】
さらに、底板１２の下面（ないしはフレーム１７の接地部）にも滑り止め加工がされていることが好ましい。滑り止め加工としてはゴムマットやエラストマー、ウレタン等の滑りにくい素材による加工、または凹凸加工、シボ加工、吸盤などが挙げられ、これらを組み合わせてもよい。底板１２の下面を滑り止め処理することにより、冶具１の落下や位置ずれを防止することができる。
【００２１】
なお、本考案の冶具は、実施例１〜３以外にも、これらの部分的な組合せ、あるいは他の部材の導入、あるいは部分的な省略により、様々な実施形態が考えられることは当業者には明らかである。例えば、作業机や作業台の一部が底板１２を兼ねていてもよい。すなわち、上板１１及び支柱１５を備えた略Ｌ字型の冶具を、ねじ止めまたは嵌合により作業机や作業台に固定した構成としても、実施例１〜３の冶具と同じ機能を持つ冶具として用いることができる。
【符号の説明】
【００２２】
１  冶具
２  果実
３  パルプモールドトレイ
４  作業台の上面
６  透明包装材
１１  上板
１２  底板
１３  側板
１５  支柱
１６  ねじ（ボルト・ナット）
１７  フレーム
【図１】
0003219011.tif 000003
【図２】
0003219011.tif 000004
【図３】
0003219011.tif 000005
【図４】
0003219011.tif 000006
【図５】
0003219011.tif 000007
【図６】
0003219011.tif 000008
【図７】
0003219011.tif 000009